(57)【特許請求の範囲】
【請求項１】
物体側から順に、正の屈折力を有する前群と、絞りと、正の屈折力を有する後群とを配列してなる撮像レンズであって、
前記前群が、物体側から順に、物体側に凸面を向けた負のメニスカス形状の第１レンズと、両凸形状の第２レンズとからなり、
前記後群が、物体側から順に、負の屈折力を有する第３レンズおよび正の屈折力を有する第４レンズを接合してなる接合レンズと、両凸形状の第５レンズと、像側に凸面を向けた負のメニスカス形状の第６レンズとからなり、
下記の条件式（４）を満足するように構成されていることを特徴とする撮像レンズ。
１．２０＜ｆ５／ｆ＜１．３４  …  （４）
ただし、
ｆ：全系の焦点距離
ｆ５：第５レンズの焦点距離
【請求項２】
下記の条件式（１）を満足するように構成されていることを特徴とする請求項１記載の撮像レンズ。
０．８０＜Ｒ３／Ｒ１＜１．２７  …  （１）
ただし、
Ｒ１：第１レンズの物体側の面の曲率半径
Ｒ３：第２レンズの物体側の面の曲率半径
【請求項３】
下記の条件式（２）を満足するように構成されていることを特徴とする請求項１または２記載の撮像レンズ。
２．５＜ｆａ／ｆ＜４．９  …  （２）
ただし、
ｆ：全系の焦点距離
ｆａ：前群の焦点距離
【請求項４】
下記の条件式（３）を満足するように構成されていることを特徴とする請求項１から３のいずれか１項記載の撮像レンズ。
２．４＜ｆ３４／ｆ＜９．２  …  （３）
ただし、
ｆ：全系の焦点距離
ｆ３４：第３レンズおよび第４レンズで構成される接合レンズの焦点距離
【請求項５】
下記の条件式（５）を満足するように構成されていることを特徴とする請求項１から４のいずれか１項記載の撮像レンズ。
２．０＜Ｒ１２／Ｒ１１＜３．５  …  （５）
ただし、
Ｒ１１：第６レンズの物体側の面の曲率半径
Ｒ１２：第６レンズの像側の面の曲率半径
【請求項６】
全系の全てのレンズ面について、下記の条件式（６）を満足するように構成されていることを特徴とする請求項１から５のいずれか１項記載の撮像レンズ。
｜Ｎｄｉ−１×ｓｉｎθｉ｜＞０．０６５  …  （６）
ただし、
θｉ：軸上マージナル光線が物体側から数えてｉ番目のレンズ面に入射するときの入射角
Ｎｄｉ−１：軸上マージナル光線が物体側から数えてｉ番目のレンズ面に入射するときの入射側の媒質のｄ線における屈折率
【請求項７】
請求項１から６のいずれか１項記載の撮像レンズと、
該撮像レンズにより形成された像を受光する撮像素子と
を備えたことを特徴とする撮像装置。
【発明の詳細な説明】
【技術分野】
【０００１】
本発明は、撮像レンズおよび撮像装置に関し、より詳しくは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を用いた車載用カメラ、監視カメラ等に使用されるのに好適な撮像レンズ、および該撮像レンズを備えた撮像装置に関するものである。
【背景技術】
【０００２】
近年、ＣＣＤやＣＭＯＳ等の撮像素子を用いたデジタルスチルカメラやビデオカメラ等の撮像装置が普及している。これらは、監視用カメラや車載用カメラ等として用いられることが多く、高性能化、および小型化に対する要求が高まっている。それとともに、これらに搭載される撮像レンズにも高性能化、および小型化に対する要求が高まっている。
【０００３】
特許文献１〜３には、監視用カメラ等に搭載されるレンズとして、６枚と比較的少ない枚数で構成された撮像レンズが開示されている。より詳しくは、特許文献１には、非球面レンズを含む前群と、正の屈折力を有する後群とからなる撮像レンズが記載されている。特許文献２には、長いバックフォーカスを有するように構成された撮像レンズが記載されている。特許文献３には、最も像側に接合レンズが配置された撮像レンズが記載されている。
【特許文献１】特開２００５−２４９６９号公報
【特許文献２】特許第３７２３６３７号公報
【特許文献３】特許第３４７８６４３号公報
【発明の開示】
【発明が解決しようとする課題】
【０００４】
監視用カメラや車載用カメラ等の撮像装置に搭載される撮像レンズは、寒冷地の外気から熱帯地方の夏の車内まで広い温度範囲で使用されることが想定される。そのため、これらの設置場所や使用環境等を考慮すると、温度変化の影響が小さいことが好ましく、温度変化による光学性能の変化が小さいこと、例えば、温度変化時のピント位置の変化量等が小さいこと等が要望される。
【０００５】
特許文献１のレンズは、非球面レンズを用いているが、非球面レンズの材質として樹脂を用いると、上述したような使用時の温度変化による光学性能の変化の問題が発生しやすい。また、樹脂材質のレンズは、保存時の環境による悪影響、例えば高温下での荷重による形状変化の虞等の問題も発生しやすい。これらのことを考えると、ガラスを材質とすることが好ましいが、非球面レンズをガラスで製作する場合は、ガラスモールド非球面レンズとなり、高価になってしまう。
【０００６】
特許文献２、３に記載のレンズは、ガラスの球面レンズのみを使用しているため、ガラスモールド非球面レンズを採用する場合に比べて価格的に有利である。しかし、特許文献２に記載のレンズは、全長が長いため十分な小型化が図られたものとはいえない。特許文献３に記載のレンズは、比較的小型化が図られてはいるものの、Ｆ値が２．８であり、車載用や監視用のカメラとしては用いるには若干暗い光学系となっている。
【０００７】
一方、上記のような撮像装置では、各レンズ面やＣＣＤ等のセンサ面（撮像面）での反射によりゴースト像が発生することがある。ゴースト像の程度によっては、画像を正しく認識できなくなる虞があるため、特に前方を撮影し画像処理を行う監視用カメラや車載用カメラ等の撮像装置では、ゴースト像を抑制することが要望されている。
【０００８】
本発明は、上記事情に鑑み、良好な光学性能を保持するとともに、ゴースト像が抑制されて、Ｆ値が小さく、小型で安価な撮像レンズ、および該撮像レンズを備えた撮像装置を提供することを目的とするものである。
【課題を解決するための手段】
【０００９】
本発明の撮像レンズは、物体側から順に、正の屈折力を有する前群と、絞りと、正の屈折力を有する後群とを配列してなる撮像レンズであって、前記前群が、物体側から順に、物体側に凸面を向けた負のメニスカス形状の第１レンズと、両凸形状の第２レンズとからなり、前記後群が、物体側から順に、負の屈折力を有する第３レンズおよび正の屈折力を有する第４レンズを接合してなる接合レンズと、両凸形状の第５レンズと、像側に凸面を向けた負のメニスカス形状の第６レンズとからなり、下記の条件式（４）を満足するように構成されていることを特徴とするものである。
１．２０＜ｆ５／ｆ＜１．３４  …  （４）
ただし、
ｆ：全系の焦点距離
ｆ５：第５レンズの焦点距離
【００１０】
本発明の撮像レンズは、上記構成により、小型で明るい光学系を得るのに有利となり、必ずしも非球面を用いない構成が可能であるため、低コスト化を図ることができる。また、本発明の撮像レンズは、接合レンズを採用することで、接合面よりも反射率が高い空気接触面を減らすことができ、ゴースト像の発生を抑制することができる。
【００１１】
また、本発明の撮像レンズにおいては、下記の条件式（１）を満足するように構成されていることが好ましい。  
０．８０＜Ｒ３／Ｒ１＜１．２７  …  （１）
ただし、
Ｒ１：第１レンズの物体側の面の曲率半径
Ｒ３：第２レンズの物体側の面の曲率半径
【００１２】
また、本発明の撮像レンズにおいては、下記の条件式（２）を満足するように構成されていることが好ましい。  
２．５＜ｆａ／ｆ＜４．９  …  （２）
ただし、
ｆ：全系の焦点距離
ｆａ：前群の焦点距離
【００１３】
また、本発明の撮像レンズにおいては、下記の条件式（３）を満足するように構成されていることが好ましい。  
２．４＜ｆ３４／ｆ＜９．２  …  （３）
ただし、
ｆ：全系の焦点距離
ｆ３４：第３レンズおよび第４レンズで構成される接合レンズの焦点距離
【００１５】
また、本発明の撮像レンズにおいては、下記の条件式（５）を満足するように構成されていることが好ましい。  
２．０＜Ｒ１２／Ｒ１１＜３．５  …  （５）
ただし、
Ｒ１１：第６レンズの物体側の面の曲率半径
Ｒ１２：第６レンズの像側の面の曲率半径
【００１６】
また、本発明の撮像レンズにおいては、全系の全てのレンズ面について、下記の条件式（６）を満足するように構成されていることが好ましい。  
｜Ｎｄｉ−１×ｓｉｎθｉ｜＞０．０６５  …  （６）
ただし、
θｉ：軸上マージナル光線が物体側から数えてｉ番目のレンズ面に入射するときの入射角
Ｎｄｉ−１：軸上マージナル光線が物体側から数えてｉ番目のレンズ面に入射するときの入射側の媒質のｄ線における屈折率
【００１７】
なおここで、「軸上マージナル光線」とは、光軸上の物点を出て、光学系の入射瞳の最周縁を通る光線のことである。また、上記のθｉに関する「入射角」は、軸上マージナル光線がｉ（ｉは１から始まる自然数）番目のレンズ面へ入射する位置における、該レンズ面の法線と軸上マージナル光線とのなす角のことである。
【００１８】
上記の「全系の全てのレンズ面」とは、空気接触面および接合面の両方を含むものである。つまり、条件式（６）においては、レンズから空気への入射、空気からレンズへの入射、レンズからレンズへの入射の全てを考慮しているため、入射側の媒質のｄ線における屈折率を用いている。「入射側の媒質」とは、例えば、レンズから空気へ入射するときにはレンズの材質を意味し、空気からレンズへ入射するときには空気を意味する。
【００１９】
本発明の撮像装置は、上記記載の本発明の撮像レンズと、該撮像レンズにより形成される像を受光する撮像素子とを備えたことを特徴とするものである。
【発明の効果】
【００２０】
本発明の撮像レンズによれば、接合レンズを含み、各レンズの形状、パワー等の構成を好適に設定しているため、良好な光学性能を保持できるとともに、ゴースト像が抑制された小型でＦ値の小さな光学系を安価に得ることが可能になる。
【００２１】
本発明の撮像装置によれば、本発明の撮像レンズを備えているため、ゴースト像が低減された明るく良好な像を得ることができ、小型で安価に構成することが可能になる。
【発明を実施するための最良の形態】
【００２２】
以下、本発明の実施形態について図面を参照して詳細に説明する。まず、本発明の撮像レンズの実施形態について説明し、その後で撮像装置の実施形態について説明する。
【００２３】
図１に本発明の一実施形態にかかる撮像レンズ１のレンズ断面図を示す。図１には、軸上マージナル光線（軸上光線の最外周光線）２も合わせて示してある。なお、この図１に示す構成例は、図２に示す後述の実施例１のレンズ構成に対応している。また、図３〜図８には、本発明の実施形態にかかる撮像レンズの別の構成例のレンズ断面図を示しており、これらは後述の実施例２〜７のレンズ構成に対応している。実施例１〜７の撮像レンズは、基本的なレンズ構成は同じであるため、以下では本発明の実施形態にかかる撮像レンズとして、図１に示す構成例の撮像レンズ１を例にとり説明する。
【００２４】
撮像レンズ１は、物体側から順に、正の屈折力を有する前群ＧＦと、開口絞りＳｔと、正の屈折力を有する後群ＧＲとを配列してなる。前群ＧＦは、物体側から順に、物体側に凸面を向けた負のメニスカス形状の第１レンズＬ１と、両凸形状の第２レンズＬ２とからなる。後群ＧＲは、物体側から順に、負の屈折力を有する第３レンズＬ３および正の屈折力を有する第４レンズＬ４を接合してなる接合レンズＬＣと、両凸形状の第５レンズＬ５と、像側に凸面を向けた負のメニスカス形状の第６レンズＬ６とからなる。
【００２５】
なお、図１における開口絞りＳｔは形状や大きさを表すものではなく光軸Ｚ上の位置を示すものである。また、図１では、撮像レンズ１が撮像装置に適用される場合を考慮して、撮像レンズの結像位置Ｐｉｍを含む像面Ｓｉｍに配置された撮像素子５も図示している。撮像素子５は、撮像レンズ１により形成される像を受光するものであり、撮像レンズ１により形成される光学像を電気信号に変換する。撮像素子５は、例えばＣＣＤイメージセンサ等からなる。
【００２６】
図１では示していないが、撮像レンズ１を撮像装置に適用する際には、撮像レンズ１と撮像素子５との間に、レンズを装着するカメラ側の構成に応じて、カバーガラスや、ローパスフィルタ、赤外線カットフィルタ、紫外線カットフィルタなどの各種フィルタを配置してもよい。例えば、本撮像レンズが、車載用カメラに使用され、夜間の視覚補助用の暗視カメラとして使用される場合には、レンズ系と撮像素子との間に紫外光から青色光をカットするようなフィルタを挿入してもよい。
【００２７】
撮像レンズ１では、最も物体側に配置された第１レンズＬ１と最も像側に配置された第６レンズＬ６とを負のメニスカスレンズとすることで、小型化を図りつつ、像面湾曲を良好に補正することができる。また、撮像レンズ１では、開口絞りＳｔの像側に隣接して接合レンズＬＣを配置することにより、軸上色収差を良好に補正することができる。
【００２８】
撮像レンズ１は、下記条件式（１）〜（５）を満足することが好ましい。なお、撮像レンズ１の好ましい態様としては、下記条件式（１）〜（５）のいずれか１つを満足するものでもよく、あるいは任意の組み合わせを満足するものでもよい。  
０．８０＜Ｒ３／Ｒ１＜１．２７  …  （１）
２．５＜ｆａ／ｆ＜４．９  …  （２）
２．４＜ｆ３４／ｆ＜９．２  …  （３）
１．２０＜ｆ５／ｆ＜１．３４  …  （４）
２．０＜Ｒ１２／Ｒ１１＜３．５  …  （５）
ただし、
Ｒ１：第１レンズの物体側の面の曲率半径
Ｒ３：第２レンズの物体側の面の曲率半径
ｆ：全系の焦点距離
ｆａ：前群の焦点距離
ｆ３４：第３レンズおよび第４レンズで構成される接合レンズの焦点距離
ｆ５：第５レンズの焦点距離
Ｒ１１：第６レンズの物体側の面の曲率半径
Ｒ１２：第６レンズの像側の面の曲率半径
【００２９】
条件式（１）は、第１レンズＬ１の物体側の面の曲率半径と第２レンズＬ２の物体側の面の曲率半径の比に関するものである。条件式（１）の上限を上回るとコマ収差を良好に補正することができず、下限を下回ると歪曲収差を良好に補正することができない。
【００３０】
条件式（２）は、全系に対する前群ＧＦのパワー比に関するものである。条件式（２）の上限を上回ると球面収差を良好に補正することができず、下限を下回るとコマ収差を良好に補正することができない。
【００３１】
条件式（３）は、開口絞りＳｔ近傍に配置された接合レンズＬＣの全系に対するパワー比に関するものである。条件式（３）の上限を上回ると倍率色収差を良好に補正することができず、下限を下回ると軸上色収差を良好に補正することができない。
【００３２】
条件式（４）は、全系のパワーに対する第５レンズＬ５のパワー比に関するものである。条件式（４）の上限を上回ると軸上色収差を良好に補正することができず、下限を下回ると像面湾曲を良好に補正することができない。
【００３３】
条件式（５）は、第６レンズＬ６の物体側の面と像側の面の曲率半径の比に関するものであり、第６レンズＬ６の物体側の面と像側の面のパワー比に関するものである。条件式（５）の上限を上回ると球面収差を良好に補正することができず、下限を下回ると像面湾曲を良好に補正することができない。
【００３４】
また、撮像レンズ１は、ゴースト像を抑制するために、全系の全てのレンズ面について、下記条件式（６）を満足するように構成されていることが好ましい。  
｜Ｎｄｉ−１×ｓｉｎθｉ｜＞０．０６５  …  （６）
ただし、
θｉ：軸上マージナル光線が物体側から数えてｉ番目のレンズ面に入射するときの入射角
Ｎｄｉ−１：軸上マージナル光線が物体側から数えてｉ番目のレンズ面に入射するときの入射側の媒質のｄ線における屈折率
【００３５】
図１では、軸上マージナル光線が１番目のレンズ面（第１レンズＬ１の物体側の面）に入射するときの入射角をθ１とし、このときの面の法線を点線で示し、入射側の媒質（本例では空気）の屈折率をＮｄ０として示している。また、図１では、軸上マージナル光線が２番目のレンズ面（第１レンズＬ１の像側の面）に入射するときの軸上マージナル光線の入射角をθ２とし、このときの面の法線を点線で示し、入射側の媒質（本例では第１レンズＬ１の材質）の屈折率をＮｄ１として示している。
【００３６】
ゴースト像は、撮像素子５やレンズ面等で反射した光が撮像素子５に入射することにより生じる。撮像素子５での反射率はレンズ面での反射率に比べて大きいため、レンズ面同士での反射によるゴースト像よりも、撮像素子５といずれかのレンズ面との反射によるゴースト像の方が、強度が強くなる傾向にある。
【００３７】
一般的な回転対称光学系であれば、全系のレンズ面を透過した上側の軸上マージナル光線が撮像素子５で反射されると、下側の軸上マージナル光線と同じ経路を逆方向に進行することになる。この逆向きに進行する軸上マージナル光線の各レンズ面における入射角は、スネルの法則を考えれば、条件式（６）により規定されることになる。
【００３８】
また、入射角が小さくなると、入射光とそのときの反射光とのなす角が小さくなるため、撮像素子５（像面Ｓｉｍ）上の有効範囲内（画像形成領域）に上記反射光が集光して、画像認識の障害となるゴースト像が発生する可能性が高くなる。そこで、条件式（６）を満足するように入射角を大きくすれば、入射光と反射光とのなす角が大きくなり、撮像素子５上の画像形成領域に達した反射光の集光密度を低減できるため、ゴースト像の発生またはゴースト像の光強度を抑制することができる。すなわち、条件式（６）を満たすようにすれば、撮像素子５で反射されて各レンズ面で反射される光線について、ゴースト像を抑制することができる。
【００３９】
なお、軸外光線についても、撮像素子５で反射されて各レンズ面で反射される光線は、軸上光線が撮像素子５で反射されて各レンズ面で反射される場合と同様の集光性となるため、条件式（６）のように軸上マージナル光線を規定することで、ゴースト像抑制の効果を効率良く得ることができる。
【００４０】
また、撮像レンズ１では、第３レンズＬ３と第４レンズＬ４を接合して接合レンズＬＣとなるように構成している。接合レンズＬＣは、収差補正上有利なだけでなく、接合面を形成して、レンズ面と空気とが接触する空気接触面を１面減らすことができる。空気接触面よりも接合面の方が反射率が小さいため、接合レンズを採用することにより、強度の強いゴースト像を抑制する効果を得ることができる。
【００４１】
さらに、撮像レンズ１の最も像側の第６レンズＬ６は、像側に凸面を向けた形状であるため、撮像素子５のセンサ面で反射した光が第６レンズの像側の面で再度反射して撮像素子５に入射するとき、発散光となりやすく、この構成によってもゴースト像を抑制する効果が得ることができる。これに対して、第６レンズＬ６の像側の面を凹面としたものでは、撮像素子５で反射した光がこの凹面で再度反射すると、収束光となり撮像素子５上に強度の強いゴースト像が発生する可能性が高くなってしまう。
【００４２】
一般に、撮像レンズ１が例えば車載用カメラ等の厳しい環境において使用される場合には、最も物体側に配置されるレンズは、風雨による表面劣化、直射日光による温度変化に強く、さらには油脂・洗剤等の化学薬品に強い材質、すなわち耐水性、耐候性、耐酸性、耐薬品性等が高い材質を用いることが好ましい。
【００４３】
また、最も物体側に配置されるレンズの材質としては堅く、割れにくい材質を用いることが好ましく、具体的にはガラスもしくは透明なセラミックスを用いることが好ましい。セラミックスは通常のガラスに比べ強度が高く、耐熱性が高いという性質を有する。
【００４４】
また、本撮像レンズが、例えば車載用カメラに適用される場合には、寒冷地の外気から熱帯地方の夏の車内まで広い温度範囲で使用可能なことが要求される。広い温度範囲で使用される場合には、レンズの材質としては線膨張係数の小さいものを用いることが好ましい。また、安価にレンズを製作するためには、全てのレンズが球面レンズであることが好ましい。
【実施例】
【００４５】
次に、本発明にかかる撮像レンズの具体的な数値実施例について説明する。
【００４６】
実施例１〜７にかかる撮像レンズのレンズ構成図を図２〜図８に示す。図２〜図８においては、図の左側を物体側としており、像面をＳｉｍとして図示している。なお、図２〜図８に図示の開口絞りＳｔは形状や大きさを表すものではなく光軸Ｚ上の位置を示すものである。
【００４７】
実施例１〜７の基本レンズデータを図９〜図１５に示す。図９〜図１５のレンズデータにおいて、Ｓｉは最も物体側の構成要素の面を１番目として像側に向かうに従い順次増加するｉ番目の面番号を示し、Ｒｉはｉ番目の面の曲率半径を示し、Ｄｉはｉ番目の面とｉ＋１番目の面との光軸Ｚ上の面間隔を示し、Ｎｄｉは面間隔Ｄｉにおける媒質のｄ線に対する屈折率を示し、νｄｊはｊ番目の光学要素のｄ線に対するアッベ数を示す。
【００４８】
なお、図９〜図１５の基本レンズデータには無限遠に位置する物体面と開口絞りＳｔも含めて記載しており、開口絞りＳｔについては曲率半径の欄に（開口絞り）と記している。曲率半径は物体側に凸の場合を正、像側に凸の場合を負としている。曲率半径および面間隔の単位は例えばｍｍとすることができる。
【００４９】
各実施例において、基本レンズデータのＲｉ、Ｄｉ（ｉ＝１、２、３、…）は、レンズ構成図の符号Ｒｉ、Ｄｉと対応している。ＳｉとＲｉについては、ｉ＝１、２、３、…とし、ＤｉとＮｄｉについてはｉ＝０、１、２、３、とし、νｄｊについてはｊ＝１、２、３、…としている。
【００５０】
実施例１〜７いずれも、前群は第１レンズＬ１、第２レンズＬ２からなり、後群は第３レンズＬ３、第４レンズＬ４、第５レンズＬ５、第６レンズＬ６からなる。
【００５１】
図１６に、実施例１〜７にかかる撮像レンズの全系の焦点距離、Ｆ値、全画角をそれぞれ焦点距離ｆ、ＦＮｏ．、画角２ωとして示す。
【００５２】
また、図１７Ａ、図１７Ｂに、実施例１〜７にかかる撮像レンズの条件式（１）〜（６）に対応する値を示す。これらからわかるように、実施例１〜７の撮像レンズは全て条件式（１）〜（６）を満足している。
【００５３】
なお、実施例１〜７はｅ線（波長５４６．０７ｎｍ）を基準波長としており、図１７Ａ、図１７Ｂの値は、ｅ線に関するものである。
【００５４】
図１８〜図２４に、上記実施例１〜７にかかる撮像レンズの球面収差、非点収差、ディストーション（歪曲収差）、倍率色収差、コマ収差の収差図をそれぞれ示す。各収差図には、ｅ線（波長５４６．０７ｎｍ）を基準波長とした収差を示すが、球面収差図および倍率色収差図には、ｇ線（波長４３５．８３ｎｍ）、Ｃ線（波長６５６．３ｎｍ）、ｓ線（波長８５２．１１ｎｍ）についての収差も示す。ディストーションの図は、全系の焦点距離ｆ、半画角θ（変数扱い、０≦θ≦ω）を用いて、理想像高をｆ×ｔａｎθとし、それからのずれ量を示す。コマ収差は各図の左側がタンジェンシャル方向、右側がサジタル方向のものを示す。球面収差図のＦＮｏ．はＦ値であり、その他の収差図のωは半画角を示す。
【００５５】
以上のデータからわかるように、上記実施例１〜７は、小型に構成されており、特許文献３の撮像レンズに比べて、Ｆ値が２．０という小さな値を有する明るい光学系であり、全画角も５３〜５７°と広い画角を有している。また、収差図からわかるように、上記実施例１〜７は、小さなＦ値を有しながら、可視域から近赤外までの広い波長帯域にわたり、各収差が良好に補正されているため、昼間での撮像だけでなく夜間での撮像にも好適である。さらに、上記実施例１〜７は、非球面を全く用いず全て球面レンズで構成されているため、安価に製造可能である。
【００５６】
このような実施例１〜７の撮像レンズは、自動車の前方、側方、後方などの映像を撮影するための車載用カメラなどに好適に使用可能である。図２５に使用例として、自動車１００に本実施形態の撮像レンズおよび撮像装置を搭載した様子を示す。
【００５７】
図２５において、自動車１００は、その助手席側の側面の死角範囲を撮像するための車外カメラ１０１と、自動車１００の後側の死角範囲を撮像するための車外カメラ１０２と、ルームミラーの背面に取り付けられ、ドライバーと同じ視野範囲を撮影するための車内カメラ１０３とを備えている。車外カメラ１０１と車外カメラ１０２と車内カメラ１０３とは、撮像装置であり、本発明の実施形態による撮像レンズ１と、撮像レンズ１により形成される光学像を電気信号に変換する撮像素子５とを備えている。
【００５８】
撮像レンズ１は、上述したような多数の長所を有するものであるから、車外カメラ１０１、１０２および車内カメラ１０３も、ゴースト像が低減された明るく良好な映像を得ることができ、安価で小型に構成することが可能となる。
【００５９】
以上、実施の形態および実施例を挙げて本発明を説明したが、本発明は上記実施の形態および実施例に限定されず、種々の変形が可能である。例えば、各レンズ成分の曲率半径、面間隔および屈折率の値は、上記各数値実施例で示した値に限定されず、他の値をとり得るものである。
【００６０】
また、撮像装置の実施形態では、本発明を車載用カメラに適用した例について図を示して説明したが、本発明はこの用途に限定されるものではなく、例えば、携帯端末用カメラや監視カメラ等にも適用可能である。
【図面の簡単な説明】
【００６１】
【図１】本発明の一実施形態にかかる撮像レンズの断面と軸上マージナル光線を示す図
【図２】本発明の実施例１にかかる撮像レンズのレンズ構成を示す断面図
【図３】本発明の実施例２にかかる撮像レンズのレンズ構成を示す断面図
【図４】本発明の実施例３にかかる撮像レンズのレンズ構成を示す断面図
【図５】本発明の実施例４にかかる撮像レンズのレンズ構成を示す断面図
【図６】本発明の実施例５にかかる撮像レンズのレンズ構成を示す断面図
【図７】本発明の実施例６にかかる撮像レンズのレンズ構成を示す断面図
【図８】本発明の実施例７にかかる撮像レンズのレンズ構成を示す断面図
【図９】本発明の実施例１にかかる撮像レンズの基本レンズデータ
【図１０】本発明の実施例２にかかる撮像レンズの基本レンズデータ
【図１１】本発明の実施例３にかかる撮像レンズの基本レンズデータ
【図１２】本発明の実施例４にかかる撮像レンズの基本レンズデータ
【図１３】本発明の実施例５にかかる撮像レンズの基本レンズデータ
【図１４】本発明の実施例６にかかる撮像レンズの基本レンズデータ
【図１５】本発明の実施例７にかかる撮像レンズの基本レンズデータ
【図１６】本発明の実施例１〜７の各種データ
【図１７Ａ】本発明の実施例１〜７の条件式（１）〜（５）に対応する値
【図１７Ｂ】本発明の実施例１〜７の条件式（６）に対応する値
【図１８】本発明の実施例１にかかる撮像レンズの各収差図
【図１９】本発明の実施例２にかかる撮像レンズの各収差図
【図２０】本発明の実施例３にかかる撮像レンズの各収差図
【図２１】本発明の実施例４にかかる撮像レンズの各収差図
【図２２】本発明の実施例５にかかる撮像レンズの各収差図
【図２３】本発明の実施例６にかかる撮像レンズの各収差図
【図２４】本発明の実施例７にかかる撮像レンズの各収差図
【図２５】本発明の実施形態にかかる車載用の撮像装置の配置を説明するための図
【符号の説明】
【００６２】
１    撮像レンズ
２    軸上マージナル光線
５    撮像素子
１００    自動車
１０１、１０２    車外カメラ
１０３    車内カメラ
Ｄｉ（ｉ＝１、２、３、…）    ｉ番目の面とｉ＋１番目の面との光軸上の面間隔
ＧＦ    前群
ＧＲ    後群
Ｌ１    第１レンズ
Ｌ２    第２レンズ
Ｌ３    第３レンズ
Ｌ４    第４レンズ
Ｌ５    第５レンズ
Ｌ６    第６レンズ
ＬＣ    接合レンズ
Ｐｉｍ    結像位置
Ｒｉ（ｉ＝１、２、３、…）    ｉ番目の面の曲率半径
Ｓｉｍ    像面
Ｓｔ    開口絞り
Ｚ    光軸
【図１】
0005143595.tif 000002
【図２】
0005143595.tif 000003
【図３】
0005143595.tif 000004
【図４】
0005143595.tif 000005
【図５】
0005143595.tif 000006
【図６】
0005143595.tif 000007
【図７】
0005143595.tif 000008
【図８】
0005143595.tif 000009
【図９】
0005143595.tif 000010
【図１０】
0005143595.tif 000011
【図１１】
0005143595.tif 000012
【図１２】
0005143595.tif 000013
【図１３】
0005143595.tif 000014
【図１４】
0005143595.tif 000015
【図１５】
0005143595.tif 000016
【図１６】
0005143595.tif 000017
【図１７Ａ】
0005143595.tif 000018
【図１７Ｂ】
0005143595.tif 000019
【図１８】
0005143595.tif 000020
【図１９】
0005143595.tif 000021
【図２０】
0005143595.tif 000022
【図２１】
0005143595.tif 000023
【図２２】
0005143595.tif 000024
【図２３】
0005143595.tif 000025
【図２４】
0005143595.tif 000026
【図２５】
0005143595.tif 000027